(57)【特許請求の範囲】
【請求項１】
被写体を撮像する撮像手段と、
前記撮像手段を介して被写体を示す画像信号を連続的に取得する画像取得手段と、
前記取得した画像信号に基づいてスルー画像を表示する表示手段と、
前記取得した画像信号に基づいて、被写体の所望の領域に対して自動的に焦点調節を行う自動焦点調節手段と、
前記自動焦点調節手段による被写体の合焦状態を検出する合焦状態検出手段と、
中心が一致するように表示された複数の枠を用いたアニメーション画像であって、前記合焦状態検出手段により合焦したことが検出されるまでは、前記複数の枠が異なる大きさで回転し、前記合焦状態検出手段により合焦したことが検出されると、前記複数の枠が等しい大きさで静止するアニメーション画像を作成するアニメーション画像作成手段と、
前記合焦状態検出手段によって検出された合焦状態に応じて、前記アニメーション画像をスルー画像上に合成する表示制御手段と、
を備えたことを特徴とする撮像装置。
【請求項２】
前記取得した画像信号から被写体の顔を検出する顔検出手段を備え、
前記自動焦点調節手段は、前記顔検出手段によって顔が検出されると、その検出された顔にピントを合わせるように自動焦点調節を行う
ことを特徴とする請求項１に記載の撮像装置。
【請求項３】
前記表示制御手段は、前記合焦状態検出手段によって検出された合焦状態に応じて、前記アニメーション画像の色相、明度及び彩度のうちの少なくとも１つを変化させることを特徴とする請求項１又は２に記載の撮像装置。
【請求項４】
前記アニメーション画像作成手段は、前記合焦状態検出手段により合焦したことが検出されるまでは、前記複数の枠がそれぞれ異なる方向に回転するアニメーション画像を作成することを特徴とする請求項１から３のいずれかに記載の撮像装置。
【請求項５】
前記表示制御手段は、前記合焦状態検出手段によって検出された合焦状態に応じて、前記複数の枠と、前記焦点調節が行われた領域との距離を変更し、
前記合焦状態検出手段により合焦したことが検出されると、前記複数の枠を前記自動焦点調節手段により焦点調節が行われた領域に重ねて表示することを特徴とする請求項１又は４に記載の撮像装置。
【請求項６】
被写体を撮像する撮像手段と、
前記撮像手段を介して被写体を示す画像信号を連続的に取得する画像取得手段と、
前記取得した画像信号に基づいてスルー画像を表示する表示手段と、
前記取得した画像信号に基づいて、被写体の所望の領域に対して自動的に焦点調節を行う自動焦点調節手段と、
前記自動焦点調節手段による被写体の合焦状態を検出する合焦状態検出手段と、
前記合焦状態検出手段によって検出された合焦状態に応じて形状が変わる動物の耳のアニメーション画像であって、非合焦時には耳が倒れており、合焦時には耳が起き上がったアニメーション画像を作成するアニメーション画像作成手段と、
前記合焦状態検出手段によって検出された合焦状態に応じて前記アニメーション画像をスルー画像上に合成する表示制御手段であって、前記自動焦点調節手段において、被写体の顔に対して焦点調節が行われた場合には、前記アニメーション画像を前記顔の上部に重ねて表示する表示制御手段と、
を備えたことを特徴とする撮像装置。
【請求項７】
被写体を撮像する撮像手段と、
前記撮像手段を介して被写体を示す画像信号を連続的に取得する画像取得手段と、
前記取得した画像信号に基づいてスルー画像を表示する表示手段と、
前記取得した画像信号に基づいて、被写体の所望の領域に対して自動的に焦点調節を行う自動焦点調節手段と、
前記自動焦点調節手段による被写体の合焦状態を検出する合焦状態検出手段と、
前記合焦状態検出手段によって検出された合焦状態に応じて表示される動物の領域が異なるアニメーション画像であって、非合焦時には動物の一部領域のみのアニメーションが表示され、合焦時には前記動物の全体領域が表示されるアニメーション画像を作成するアニメーション画像作成手段と、
前記合焦状態検出手段によって検出された合焦状態に応じて前記アニメーション画像をスルー画像上に合成する表示制御手段であって、前記アニメーション画像を前記自動焦点調節手段により焦点調節が行われた領域に重ねて表示する表示制御手段と、
を備えたことを特徴とする撮像装置。
【請求項８】
被写体を撮像する撮像手段と、
前記撮像手段を介して被写体を示す画像信号を連続的に取得する画像取得手段と、
前記取得した画像信号に基づいてスルー画像を表示する表示手段と、
前記取得した画像信号に基づいて、被写体の所望の領域に対して自動的に焦点調節を行う自動焦点調節手段と、
前記自動焦点調節手段による被写体の合焦状態を検出する合焦状態検出手段と、
前記合焦状態検出手段によって検出された合焦状態に応じて吹き出しの大きさが異なるアニメーション画像を作成するアニメーション画像作成手段と、
前記合焦状態検出手段によって検出された合焦状態に応じて前記アニメーション画像をスルー画像上に合成する表示制御手段であって、前記アニメーション画像を前記自動焦点調節手段により焦点調節が行われた領域の近傍に表示する表示制御手段と、
を備えたことを特徴とする撮像装置。
【請求項９】
前記アニメーション画像作成手段は、少なくとも合焦時と非合焦時で吹き出しの内部の画像が異なるアニメーション画像を作成することを特徴とする請求項８に記載の撮像装置。
【請求項１０】
被写体を示す画像信号を連続的に取得する工程と、
前記取得した画像信号に基づいてスルー画像を表示する工程と、
前記取得した画像信号に基づいて、被写体の所望の領域に対して自動的に焦点調節を行う工程と、
前記焦点調節の状態を検出する工程と、
前記検出された焦点調節の状態に応じて、合焦状態を示すアニメーション画像をスルー画像上に合成表示する工程であって、非合焦時には中心が一致する複数の枠が異なる大きさで回転し、合焦時には中心が一致する複数の枠が等しい大きさで静止するアニメーション画像をスルー画像上に合成表示する工程と、
を有することを特徴とする合焦状態表示方法。
【請求項１１】
被写体を示す画像信号を連続的に取得する工程と、
前記取得した画像信号に基づいてスルー画像を表示する工程と、
前記取得した画像信号に基づいて、被写体の所望の領域に対して自動的に焦点調節を行う工程と、
前記焦点調節の状態を検出する工程と、
前記検出された焦点調節の状態に応じて、合焦状態を示す動物の耳のアニメーション画像であって、非合焦時には耳が倒れており、合焦時には耳が起き上がったアニメーション画像をスルー画像上に合成表示する工程であって、被写体の顔に対して焦点調節が行われた場合には、前記アニメーション画像を前記顔の上部に重ねて表示する工程と、
を有することを特徴とする合焦状態表示方法。
【請求項１２】
被写体を示す画像信号を連続的に取得する工程と、
前記取得した画像信号に基づいてスルー画像を表示する工程と、
前記取得した画像信号に基づいて、被写体の所望の領域に対して自動的に焦点調節を行う工程と、
前記焦点調節の状態を検出する工程と、
前記検出された焦点調節の状態に応じて、合焦状態を示すアニメーション画像であって、合焦状態に応じて表示される動物の領域が異なるアニメーション画像をスルー画像上に合成表示する工程であって、非合焦時には動物の一部領域のみのアニメーションが表示され、合焦時には前記動物の全体領域が表示されるアニメーション画像を焦点調節が行われた領域に重ねて表示する工程と、
を有することを特徴とする合焦状態表示方法。
【請求項１３】
被写体を示す画像信号を連続的に取得する工程と、
前記取得した画像信号に基づいてスルー画像を表示する工程と、
前記取得した画像信号に基づいて、被写体の所望の領域に対して自動的に焦点調節を行う工程と、
前記焦点調節の状態を検出する工程と、
前記検出された焦点調節の状態に応じて、合焦状態を示すアニメーション画像をスルー画像上に合成表示する工程であって合焦状態に応じて吹き出しの大きさが異なるアニメーション画像を焦点調節が行われた領域の近傍に表示する工程と、
を有することを特徴とする合焦状態表示方法。
【請求項１４】
前記アニメーション画像をスルー画像上に合成する工程は、前記検出された焦点調節の状態に応じて、前記アニメーション画像の色相、明度及び彩度のうちの少なくとも１つを変化させてスルー画像に合成することを特徴とする請求項１０から１３のいずれかに記載の合焦状態表示方法。
【発明の詳細な説明】
【技術分野】
【０００１】
本発明は撮像装置及び合焦状態表示方法に係り、特にオートフォーカス動作時に合焦状態を表示する撮像装置及び合焦状態表示方法に関する。
【背景技術】
【０００２】
被写体に焦点があっているかどうかを表示する方法として、以下のような方法が開示されている。
【０００３】
特許文献１には、電子ビューファインダーの下部に、合焦状態の遷移状態を示すバーグラフを表示することで、ピントの合い具合を確認できる撮像装置が提案されている。
【０００４】
特許文献２には、フォーカスエイド表示をすることにより、被写体が被写体深度内にあるかどうかを確認できる撮像装置が提案されている。
【０００５】
特許文献３には、十字型のターゲットマークの表示色や表示形態を変えることにより、合焦、非合焦が判断できる撮像装置が提案されている。
【特許文献１】特開平６−１１３１８４号公報
【特許文献２】特開平６−３０１０９８号公報
【特許文献３】特開２００２−３１１４８９号公報
【発明の開示】
【発明が解決しようとする課題】
【０００６】
しかしながら、上記特許文献１〜３に記載された撮像装置では、被写体に焦点が合っているということが、必ずしも全てのユーザーに対して分かりやすく表示されているとはいえないという問題がある。
【０００７】
また、被写体の顔を検出し、検出された顔に四角の枠を表示し（図１８参照）、検出された顔にピントを合わせる技術があるが、子供など撮像装置の操作になれていないユーザーが撮影を行う場合には、顔が検出されていること、及び顔にピントを合わせているということが伝わりにくいという問題がある。
【０００８】
本発明はこのような事情に鑑みてなされたもので、撮影時に、焦点が合っているかどうか、又はどこに焦点があっているかを容易に判断するための表示が可能な撮像装置及び合焦状態表示方法を提供することを目的とする。
【課題を解決するための手段】
【０００９】
前記目的を達成するために、請求項１に記載の撮像装置は、被写体を撮像する撮像手段と、前記撮像手段を介して被写体を示す画像信号を連続的に取得する画像取得手段と、前記取得した画像信号に基づいてスルー画像を表示する表示手段と、前記取得した画像信号に基づいて、被写体の所望の領域に対して自動的に焦点調節を行う自動焦点調節手段と、前記自動焦点調節手段による被写体の合焦状態を検出する合焦状態検出手段と、中心が一致するように表示された複数の枠を用いたアニメーション画像であって、前記合焦状態検出手段により合焦したことが検出されるまでは、前記複数の枠が異なる大きさで回転し、前記合焦状態検出手段により合焦したことが検出されると、前記複数の枠が等しい大きさで静止するアニメーション画像を作成するアニメーション画像作成手段と、前記合焦状態検出手段によって検出された合焦状態に応じて、前記アニメーション画像をスルー画像上に合成する表示制御手段と、を備えたことを特徴とする。
【００１０】
請求項１に記載の撮像装置によれば、被写体を撮像し、撮像された被写体を示す画像信号を連続的に取得し、取得した画像信号に基づいてスルー画像を表示する。また、取得した画像信号に基づいて、被写体の所望の領域に対して自動的に焦点調節を行い、被写体の合焦状態を検出する。そして、検出された合焦状態に応じて、合焦したことが検出されるまでは、中心が一致しており、かつ大きさの異なる複数の枠が回転し、合焦したことが検出されると、中心が一致しており、かつ大きさが等しい複数の枠が静止するアニメーション画像をスルー画像上に合成する。枠は、幾何学形状（円形、楕円形、矩形など）やハート型などの様々な形状の枠を用いることができる。なお、自動焦点調節手段においては、主として、被写体の所望の領域のコントラストが最大になるように焦点調節を行うコントラストＡＦが用いられるが、他の方法を用いることもできる。これにより、被写体の所望の領域に合焦したという情報を、ユーザーにわかり易く示すことができる。また、ユーザーの興味を引く表示を用いて、合焦状態を明確にユーザーに知らせることができる。
【００１１】
請求項２に記載の撮像装置は、請求項１に記載の撮像装置において、前記取得した画像信号から被写体の顔を検出する顔検出手段を備え、前記自動焦点調節手段は、前記顔検出手段によって顔が検出されると、その検出された顔にピントを合わせるように自動焦点調節を行うことを特徴とする。
【００１２】
請求項２に記載の撮像装置によれば、取得した画像信号から被写体の顔を検出し、顔が検出されると、その検出された顔にピントを合わせる。これにより、主要被写体にピントが合っていないという不具合を防止することができる。
【００１３】
請求項３に記載の撮像装置は、請求項１又は２に記載の撮像装置において、前記表示制御手段は、前記合焦状態検出手段によって検出された合焦状態に応じて、前記アニメーション画像の色相、明度及び彩度のうちの少なくとも１つを変化させることを特徴とする。
【００１４】
請求項３に記載の撮像装置によれば、検出された合焦状態に応じて、アニメーション画像の色相、明度及び彩度のうちの少なくとも１つが変化される。これにより、合焦状態をよりわかり易くユーザーに知らせることができる。
【００１７】
請求項４に記載の撮像装置は、請求項１から３のいずれかに記載の撮像装置において、前記アニメーション画像作成手段は、前記合焦状態検出手段により合焦したことが検出されるまでは、前記複数の枠がそれぞれ異なる方向に回転するアニメーション画像を作成することを特徴とする。このように、複数の枠を異なる方向に回転させることで、合焦が行われたことをよりはっきりとユーザーに知らせることができる。
【００２１】
請求項５に記載の撮像装置は、請求項１又は４に記載の撮像装置において、前記表示制御手段は、前記合焦状態検出手段によって検出された合焦状態に応じて、前記複数の枠と、前記焦点調節が行われた領域との距離を変更し、前記合焦状態検出手段により合焦したことが検出されると、前記複数の枠を前記自動焦点調節手段により焦点調節が行われた領域に重ねて表示することを特徴とする。
【００２２】
請求項５に記載の撮像装置によれば、枠と焦点調節が行われた領域との距離が合焦状態に応じて変更され、合焦した時には枠が焦点調節が行われた領域に重ねて表示される。これにより、焦点があっている領域がどこであるかをユーザーに分かりやすく示すことができる。
【００２３】
請求項６に記載の撮像装置は、被写体を撮像する撮像手段と、前記撮像手段を介して被写体を示す画像信号を連続的に取得する画像取得手段と、前記取得した画像信号に基づいてスルー画像を表示する表示手段と、前記取得した画像信号に基づいて、被写体の所望の領域に対して自動的に焦点調節を行う自動焦点調節手段と、前記自動焦点調節手段による被写体の合焦状態を検出する合焦状態検出手段と、前記合焦状態検出手段によって検出された合焦状態に応じて形状が変わる動物の耳のアニメーション画像であって、非合焦時には耳が倒れており、合焦時には耳が起き上がったアニメーション画像を作成するアニメーション画像作成手段と、前記合焦状態検出手段によって検出された合焦状態に応じて前記アニメーション画像をスルー画像上に合成する表示制御手段であって、前記自動焦点調節手段において、被写体の顔に対して焦点調節が行われた場合には、前記アニメーション画像を前記顔の上部に重ねて表示する表示制御手段と、を備えたことを特徴とする。
【００２４】
請求項６に記載の撮像装置によれば、被写体を撮像し、撮像された被写体を示す画像信号を連続的に取得し、取得した画像信号に基づいてスルー画像を表示する。また、取得した画像信号に基づいて、被写体の所望の領域に対して自動的に焦点調節を行い、被写体の合焦状態を検出する。そして、動物の耳のアニメーション画像であって、非合焦時には耳が倒れており、合焦時には耳が起き上がるように、合焦状態に応じて耳の形状が変わるアニメーション画像がスルー画の検出された顔の上に重ねて合成される。これにより、合焦状態を明確にユーザーに知らせることができる。
【００２７】
請求項７に記載の撮像装置は、被写体を撮像する撮像手段と、前記撮像手段を介して被写体を示す画像信号を連続的に取得する画像取得手段と、前記取得した画像信号に基づいてスルー画像を表示する表示手段と、前記取得した画像信号に基づいて、被写体の所望の領域に対して自動的に焦点調節を行う自動焦点調節手段と、前記自動焦点調節手段による被写体の合焦状態を検出する合焦状態検出手段と、前記合焦状態検出手段によって検出された合焦状態に応じて表示される動物の領域が異なるアニメーション画像であって、非合焦時には動物の一部領域のみのアニメーションが表示され、合焦時には前記動物の全体領域が表示されるアニメーション画像を作成するアニメーション画像作成手段と、前記合焦状態検出手段によって検出された合焦状態に応じて前記アニメーション画像をスルー画像上に合成する表示制御手段であって、前記アニメーション画像を前記自動焦点調節手段により焦点調節が行われた領域に重ねて表示する表示制御手段と、を備えたことを特徴とする。
【００２８】
請求項７に記載の撮像装置によれば、被写体を撮像し、撮像された被写体を示す画像信号を連続的に取得し、取得した画像信号に基づいてスルー画像を表示する。また、取得した画像信号に基づいて、被写体の所望の領域に対して自動的に焦点調節を行い、被写体の合焦状態を検出する。そして、非合焦時には動物などのキャラクターの一部領域のみのアニメーションが表示され、合焦時にはキャラクターの全体領域が表示されるように、合焦状態に応じて表示される動物の領域が異なるアニメーション画像が、焦点調節が行われた領域に重ねて表示される。これにより、合焦状態をよりわかり易くユーザーに知らせることができる。
【００３３】
請求項８に記載の撮像装置は、被写体を撮像する撮像手段と、前記撮像手段を介して被写体を示す画像信号を連続的に取得する画像取得手段と、前記取得した画像信号に基づいてスルー画像を表示する表示手段と、前記取得した画像信号に基づいて、被写体の所望の領域に対して自動的に焦点調節を行う自動焦点調節手段と、前記自動焦点調節手段による被写体の合焦状態を検出する合焦状態検出手段と、前記合焦状態検出手段によって検出された合焦状態に応じて吹き出しの大きさが異なるアニメーション画像を作成するアニメーション画像作成手段と、前記合焦状態検出手段によって検出された合焦状態に応じて前記アニメーション画像をスルー画像上に合成する表示制御手段であって、前記アニメーション画像を前記自動焦点調節手段により焦点調節が行われた領域の近傍に表示する表示制御手段と、を備えたことを特徴とする。
【００３４】
請求項８に記載の撮像装置によれば、被写体を撮像し、撮像された被写体を示す画像信号を連続的に取得し、取得した画像信号に基づいてスルー画像を表示する。また、取得した画像信号に基づいて、被写体の所望の領域に対して自動的に焦点調節を行い、被写体の合焦状態を検出する。そして、合焦状態に応じて吹き出しの大きさが異なるアニメーション画像が焦点調節が行われた領域の近傍に合成される。これにより、合焦状態をよりわかり易くユーザーに知らせることができる。
【００３５】
請求項９に記載の撮像装置は、請求項８に記載の撮像装置において、前記アニメーション画像作成手段は、少なくとも合焦時と非合焦時で吹き出しの内部の画像が異なるアニメーション画像を作成することを特徴とする。
【００３６】
請求項９に記載の撮像装置によれば、合焦状態に応じて吹き出しの大きさが異なり、かつ少なくとも合焦時と非合焦時で吹き出しの内部の画像が異なるアニメーション画像が焦点調節が行われた領域の近傍に合成される。これにより、合焦状態をよりわかり易くユーザーに知らせることができる。
【００３７】
請求項１０に記載の合焦状態表示方法は、被写体を示す画像信号を連続的に取得する工程と、前記取得した画像信号に基づいてスルー画像を表示する工程と、前記取得した画像信号に基づいて、被写体の所望の領域に対して自動的に焦点調節を行う工程と、前記焦点調節の状態を検出する工程と、前記検出された焦点調節の状態に応じて、合焦状態を示すアニメーション画像をスルー画像上に合成表示する工程であって、非合焦時には中心が一致する複数の枠が異なる大きさで回転し、合焦時には中心が一致する複数の枠が等しい大きさで静止するアニメーション画像をスルー画像上に合成表示する工程と、を有することを特徴とする。
【００３８】
請求項１１に記載の合焦状態表示方法は、被写体を示す画像信号を連続的に取得する工程と、前記取得した画像信号に基づいてスルー画像を表示する工程と、前記取得した画像信号に基づいて、被写体の所望の領域に対して自動的に焦点調節を行う工程と、前記焦点調節の状態を検出する工程と、前記検出された焦点調節の状態に応じて、合焦状態を示す動物の耳のアニメーション画像であって、非合焦時には耳が倒れており、合焦時には耳が起き上がったアニメーション画像をスルー画像上に合成表示する工程であって、被写体の顔に対して焦点調節が行われた場合には、前記アニメーション画像を前記顔の上部に重ねて表示する工程と、を有することを特徴とする。
【００３９】
請求項１２に記載の合焦状態表示方法は、被写体を示す画像信号を連続的に取得する工程と、前記取得した画像信号に基づいてスルー画像を表示する工程と、前記取得した画像信号に基づいて、被写体の所望の領域に対して自動的に焦点調節を行う工程と、前記焦点調節の状態を検出する工程と、前記検出された焦点調節の状態に応じて、合焦状態を示すアニメーション画像であって、合焦状態に応じて表示される動物の領域が異なるアニメーション画像をスルー画像上に合成表示する工程であって、非合焦時には動物の一部領域のみのアニメーションが表示され、合焦時には前記動物の全体領域が表示されるアニメーション画像を焦点調節が行われた領域に重ねて表示する工程と、を有することを特徴とする。
請求項１３に記載の合焦状態表示方法は、被写体を示す画像信号を連続的に取得する工程と、前記取得した画像信号に基づいてスルー画像を表示する工程と、前記取得した画像信号に基づいて、被写体の所望の領域に対して自動的に焦点調節を行う工程と、前記焦点調節の状態を検出する工程と、前記検出された焦点調節の状態に応じて、合焦状態を示すアニメーション画像をスルー画像上に合成表示する工程であって合焦状態に応じて吹き出しの大きさが異なるアニメーション画像を焦点調節が行われた領域の近傍に表示する工程と、を有することを特徴とする。
【００４０】
請求項１４に記載の合焦状態表示方法は、請求項１０から１３のいずれかに記載の合焦状態表示方法において、前記アニメーション画像をスルー画像上に合成する工程は、前記検出された焦点調節の状態に応じて、前記アニメーション画像の色相、明度及び彩度のうちの少なくとも１つを変化させてスルー画像に合成することを特徴とする。
【発明の効果】
【００４１】
本発明によれば、撮影時に、焦点が合っているかどうか、又はどこに焦点があっているかを容易に判断するための表示をすることができる。
【発明を実施するための最良の形態】
【００４２】
以下、添付図面に従って本発明に係るカメラを実施するための最良の形態について詳細に説明する。
【００４３】
＜第１の実施の形態＞
図１は本発明に係る第１の実施の形態の撮像装置の一実施形態を示す正面斜視図である。図２は、上記撮像装置の一実施形態を示す背面図である。この撮像装置は、レンズを通った光を撮像素子で受け、デジタル信号に変換して記憶メディアに記録するデジタルカメラである。
【００４４】
デジタルカメラ１０のカメラボディ１２は、横長の四角い箱状に形成されており、その正面には、図１に示すように、レンズ１４、ストロボ１６、ファインダ窓１８、セルフタイマランプ２０、ＡＦ補助光ランプ２２、ストロボ調光センサ２４等が配設されている。また、カメラボディ１２の上面にはシャッターボタン２６、電源／モードスイッチ２８、モードダイヤル３０等が配設されている。一方、カメラボディ１２の背面には、図２に示すように、モニタ３２、ファインダ接眼部３４、スピーカー３６、ズームボタン３８、十字ボタン４０、ＭＥＮＵ／ＯＫボタン４２、ＤＩＳＰボタン４４、ＢＡＣＫボタン４６等が配設されている。
【００４５】
なお、図示しないカメラボディ１２の下面には、三脚ネジ穴と、開閉自在なカバーを介してバッテリ挿入部とメモリカードスロットとが設けられており、このバッテリ挿入部とメモリカードスロットにバッテリとメモリカードが装填される。
【００４６】
レンズ１４は、沈胴式のズームレンズで構成されており、電源／モードスイッチ２８によってカメラのモードを撮影モードに設定することにより、カメラボディ１２から繰り出される。なお、レンズ１４のズーム機構や沈胴機構については、公知の技術なので、ここでは、その具体的な構成についての説明は省略する。
【００４７】
ストロボ１６は、主要被写体に向けてストロボ光を照射できるように、その発光部が水平方向及び垂直方向に揺動できるように構成されている。なお、このストロボ１６の構成については、後に詳述する。
【００４８】
ファインダ窓１８は、撮影する被写体を決めるのぞき窓の部分である。
【００４９】
セルフタイマランプ２０は、たとえばＬＥＤ構成されており、後述するシャッターボタン２６を押した後、一定時間を経過した後で撮影を行うセルフタイマ機能を用いて撮影を行うときに発光される。
【００５０】
ＡＦ補助光ランプ２２は、たとえば高輝度ＬＥＤ構成されており、ＡＦ時に必要に応じて発光される。
【００５１】
ストロボ調光センサ２４は、後述するようにストロボ１６の発光量を調整するものである。
【００５２】
シャッターボタン２６は、いわゆる「半押し」と「全押し」とからなる２段ストローク式のスイッチで構成されている。デジタルカメラ１０は、このシャッターボタン２６が「半押し」されることにより、ＡＥ／ＡＦが作動し、「全押し」されることにより、撮影を実行する。
【００５３】
電源／モードスイッチ２８は、デジタルカメラ１０の電源をＯＮ／ＯＦＦする電源スイッチとしての機能と、デジタルカメラ１０のモードを設定するモードスイッチとしての機能とを併せ持っており、「ＯＦＦ位置」と「再生位置」と「撮影位置」との間をスライド自在に配設されている。デジタルカメラ１０は、電源／モードスイッチ２８をスライドさせて、「再生位置」又は「撮影位置」に合わせることにより、電源がＯＮになり、「ＯＦＦ位置」に合わせることにより、電源がＯＦＦになる。そして、電源／モードスイッチ２８をスライドさせて、「再生位置」に合わせることにより、「再生モード」に設定され、「撮影位置」に合わせることにより、「撮影モード」に設定される。
【００５４】
モードダイヤル３０は、デジタルカメラ１０の撮影モードを設定する撮影モード設定手段として機能し、このモードダイヤルの設定位置により、デジタルカメラ１０の撮影モードが様々なモードに設定される。例えば、絞り、シャッタースピード等がデジタルカメラ１０によって自動的に設定される「オート撮影モード」、動画撮影を行う「動画撮影モード」、人物撮影に適した「人物撮影モード」、動体撮影に適した「スポーツ撮影モード」、風景の撮影に適した「風景撮影モード」、夕景及び夜景の撮影に適した「夜景撮影モード」、絞りの目盛りを撮影者が設定し、シャッタースピードをデジタルカメラ１０が自動的に設定する「絞り優先撮影モード」、シャッタースピードを撮影者が設定し、絞りの目盛りをデジタルカメラ１０が自動的に設定する「シャッタースピード優先撮影モード」、絞り、シャッタースピード等を撮影者が設定する「マニュアル撮影モード」、人物を自動的に検出し、その人物に向けてストロボ光を発光させる「人物検出撮影モード」（詳細は後述）等である。
【００５５】
モニタ３２は、カラー表示が可能な液晶ディスプレイで構成されている。このモニタ３２は、再生モード時に撮影済み画像を表示するための画像表示パネルとして利用されるとともに、各種設定操作を行なう際のユーザインターフェース表示パネルとして利用される。また、撮影モード時には、必要に応じてスルー画像が表示されて、画角確認用の電子ファインダとして利用される。
【００５６】
スピーカー３６は、モードダイヤル３０などにより音声出力がＯＮに設定されている場合に、所定の音声やブザー音などの音を出力するものである。
【００５７】
ズームボタン３８は、ズームを指示するズーム指示手段として機能し、望遠側へのズームを指示するズームテレボタン３８Ｔと、広角側へのズームを指示するズームワイドボタン３８Ｗとからなる。デジタルカメラ１０は、撮影モード時に、このズームテレボタン３８Ｔとズームワイドボタン３８Ｗとが操作されることにより、レンズ１４の焦点距離が変化する。また、再生モード時に、このズームテレボタン３８Ｔとズームワイドボタン３８Ｗとが操作されることにより、再生中の画像が拡大、縮小する。
【００５８】
十字ボタン４０は、上下左右４方向の指示を入力する方向指示手段として機能し、たとえば、メニュー画面でメニュー項目の選択などに使用される。
【００５９】
ＭＥＮＵ／ＯＫボタン４２は、各モードの通常画面からメニュー画面への遷移を指示するボタン（ＭＥＮＵボタン）として機能するととともに、選択内容の確定、処理の実行等を指示するボタン（ＯＫボタン）として機能する。
【００６０】
ＤＩＳＰボタン４４は、モニタ３２の表示切り替えを指示するボタンとして機能し、撮影中、このＤＩＳＰボタン４４が押されると、モニタ３２の表示が、ＯＮ→フレーミングガイド表示→ＯＦＦに切り替えられる。また、再生中、このＤＩＳＰボタン４４が押されると、通常再生→文字表示なし再生→マルチ再生に切り替えられる。
【００６１】
ＢＡＣＫボタン４６は、入力操作のキャンセルや一つ前の操作状態に戻すことを指示するボタンとして機能する。
【００６２】
図３は、デジタルカメラ１０内部の概略構成を示すブロック図である。
【００６３】
同図に示すように、デジタルカメラ１０は、ＣＰＵ１１０、操作部（シャッターボタン２６、電源／モードスイッチ２８、モードダイヤル３０、ズームボタン３８、十字ボタン４０、ＭＥＮＵ／ＯＫボタン４２、ＤＩＳＰボタン４４、ＢＡＣＫボタン４６等）１１２、ＲＯＭ１１６、ＥＥＰＲＯＭ１１８、メモリ１２０、ＶＲＡＭ１２２、撮像素子１２４、タイミングジェネレータ（ＴＧ）１２６、アナログ処理部（ＣＤＳ／ＡＭＰ）１２８、Ａ／Ｄ変換器１３０、画像入力制御部１３２、画像信号処理部１３４、ビデオエンコーダ１３６、アニメーション画像合成部１３８、ＡＦ検出部１４０、ＡＥ／ＡＷＢ検出部１４２、絞り駆動部１４４、レンズ駆動部１４６、圧縮伸張処理部１４８、メディア制御部１５０、記憶メディア１５２、顔検出部１５４、ストロボ駆動制御部１６０、ストロボ駆動部１６２、ストロボ発光制御部１６４等で構成されている。
【００６４】
ＣＰＵ１１０は、操作部１１２から入力される操作信号に基づき所定の制御プログラムに従ってデジタルカメラ１０の全体を統括制御する。
【００６５】
バス１１４を介してＣＰＵ１１０と接続されたＲＯＭ１１６には、このＣＰＵ１１０が実行する制御プログラム及び制御に必要な各種データ等が格納されており、ＥＥＰＲＯＭ１１８には、ユーザー設定情報等のデジタルカメラ１０の動作に関する各種設定情報等が格納されている。また、メモリ（ＳＤＲＡＭ）１２０は、ＣＰＵ１１０の演算作業用領域として利用されるとともに、画像データ等の一時記憶領域として利用され、ＶＲＡＭ１２２は、画像データ専用の一時記憶領域として利用される。
【００６６】
撮像素子１２４は、たとえば、所定のカラーフィルタ配列のカラーＣＣＤで構成されており、レンズ１４によって結像された被写体の画像を電子的に撮像する。タイミングジェネレータ（ＴＧ）１２６は、ＣＰＵ１１０からの指令に応じて、この撮像素子１２４を駆動するためのタイミング信号を出力する。
【００６７】
アナログ処理部１２８は、撮像素子１２４から出力された画像信号に対して、画素ごとのＲ、Ｇ、Ｂ信号をサンプリングホールド（相関二重サンプリング処理）するとともに、増幅してＡ／Ｄ変換器１３０に出力する。
【００６８】
Ａ／Ｄ変換器１３０は、アナログ処理部１２８から出力されたアナログのＲ、Ｇ、Ｂ信号をデジタルのＲ、Ｇ、Ｂ信号に変換して出力する。
【００６９】
画像入力制御部１３２は、Ａ／Ｄ変換器１３０から出力されたデジタルのＲ、Ｇ、Ｂ信号をメモリ１２０に出力する。
【００７０】
画像信号処理部１３４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００７１】
ビデオエンコーダ１３６は、ＣＰＵ１１０からの指令に従い、モニタ３２への表示を制御する。すなわち、ＣＰＵ１１０からの指令に従い、入力された画像信号をモニタ３２に表示するための映像信号（たとえば、ＮＴＳＣ信号やＰＡＬ信号、ＳＣＡＭ信号）に変換してモニタ３２に出力するとともに、必要に応じてアニメーション画像合成部１３８で合成された、所定の文字、図形情報をモニタ３２に出力する。
【００７２】
ＡＦ検出部１４０は、Ｇ信号の高周波成分のみを通過させるハイパスフィルタ、絶対値化処理部、所定のフォーカスエリア（たとえば、画面中央部）内の信号を切り出すＡＦエリア検出部及びＡＦエリア内の絶対値データを積算する積算部から構成される。
【００７３】
ＡＥ／ＡＷＢ検出部１４２は、ＣＰＵ１１０からの指令に従い、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。
【００７４】
絞り駆動部１４４及びレンズ駆動部１４６は、ＣＰＵ１１０からの指令に応じて撮影光学系１２４の駆動部１２４Ａを制御し、撮影レンズ１４、絞り１５の動作を制御する。
【００７５】
圧縮伸張処理部１４８は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００７６】
メディア制御部１５０は、ＣＰＵ１１０からの指令に従い、メディアスロットに装填された記憶メディア１５２に対してデータの読み／書きを制御する。
【００７７】
顔検出部１５４は、ＣＰＵ１１０からの指令に従い、入力された画像データから画像内の顔領域を抽出し、その位置（たとえば、顔領域の重心）を検出する。この顔領域の抽出は、たとえば、原画像から肌色データを抽出し、肌色範囲と判断された測光点のクラスタを顔として抽出する。この他、画像から顔領域を抽出する方法としては、測光データを色相と彩度に変換し、変換した色相・彩度の二次元ヒストグラムを作成し、解析することで、顔領域を判断する方法や、人の顔の形状に相当する顔候補領域を抽出し、その領域内の特徴量から顔領域を決定する方法、画像から人の顔の輪郭を抽出し、顔領域を決定する方法、複数の顔の形状をしたテンプレートを用意し、そのテンプレートと画像との相関を計算し、この相関値により顔候補領域とすることで人の顔を抽出する方法等が知られており、これらの方法を用いて抽出することができる。
【００７８】
アニメーション画像作成部１５６は、複数枚の静止画像をアニメーション画像（動画）に組み立てるもので、たとえばアニメーションＧＩＦ、ＭＮＧ（いずれも、フォーマット名）のような形式のアニメーション画像を作成する。ＣＰＵ１１０は、ＡＦ検出部１４０で行われるＡＦの状況を把握し、アニメーション画像作成部１５６に指令を出す。アニメーション画像作成部１５６は、ＣＰＵ１１０からの指令に従い、ＡＦの状況に合わせた静止画像を選択してアニメーション画像を作成する。そして、ＣＰＵ１１０は、顔検出部１５４で検出された顔の位置情報に基づいて、アニメーション画像作成部１５６で作成されたアニメーション画像を表示するようにアニメーション画像合成部１３８に指令する。アニメーション画像作成部１５６は、顔検出部１５４などで検出された被写体の状況に応じて静止画像を選択するプログラムをＲＯＭ１１６に記憶しておき、このプログラムを用いてアニメーション画像を生成することもできる。これにより、より臨場感のあるアニメーション画像を生成することができる。なお、アニメーション画像作成部１５６で作成されるアニメーション画像については、後に詳述する。
【００７９】
ストロボ発光制御部１６０は、ＣＰＵ１１０からの指令に従い、ストロボ１６の発光を制御する。
【００８０】
次に、以上のように構成された本実施の形態のデジタルカメラ１０の作用について説明する。
【００８１】
まず、一般的な画像の撮影、記録処理の手順について説明する。上記のように、デジタルカメラ１０は、電源／モードスイッチ２８を撮影位置に合わせることで、撮影モードに設定され、撮影が可能になる。そして、撮影モードに設定されることにより、レンズ１４が繰り出され、撮影スタンバイ状態になる。
【００８２】
この撮影モードの下、レンズ１４を通過した被写体光は、絞り１５を介して撮像素子１２４の受光面に結像される。撮像素子１２４の受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。レンズ１４を通過した被写体光は、各フォトダイオードによって受光され、入射光量に応じた量の信号電荷に変換される。
【００８３】
各フォトダイオードに蓄積された信号電荷は、タイミングジェネレータ（ＴＧ）１２６から与えられる駆動パルスに基づいて信号電荷に応じた電圧信号（画像信号）として順次読み出され、アナログ処理部（ＣＤＳ／ＡＭＰ）１２８に加えられる。
【００８４】
アナログ処理部１２８から出力されたアナログのＲ、Ｇ、Ｂ信号は、Ａ／Ｄ変換器１３０でデジタルのＲ、Ｇ、Ｂ信号に変換され、画像入力制御部１３２に加えられる。画像入力制御部１３２は、Ａ／Ｄ変換器１３０から出力されたデジタルのＲ、Ｇ、Ｂ信号をメモリ１２０に出力する。
【００８５】
撮影画像をモニタ３２に出力する場合は、画像入力制御部１３２からメモリ１２０に出力された画像信号より画像信号処理部１３４で輝度／色差信号が生成され、その信号がビデオエンコーダ１３６に送られる。ビデオエンコーダ１３６は、入力された輝度／色差信号を表示用の信号形式（たとえばＮＴＳＣ方式のカラー複合映像信号）に変換し、モニタ３２に出力する。これにより、撮像素子１２４で撮像された画像がモニタ３２に表示される。
【００８６】
撮像素子１２４から画像信号を定期的に取り込み、その画像信号から生成される輝度／色差信号によってＶＲＡＭ１２２内の画像データを定期的に書き換え、モニタ３２に出力することにより、撮像素子１２４で撮像される画像がリアルタイムに表示される。撮影者は、このモニタ３２にリアルタイムに表示される画像（スルー画像）を見ることにより、撮影画角を確認することができる。
【００８７】
なお、ＶＲＡＭ１２２からビデオエンコーダ１３６に加えられる輝度／色差信号は、必要に応じてアニメーション画像合成部１３８に加えられ、所定の文字や図形等と合成されたのち、ビデオエンコーダ１３６に加えられる。これにより、所要の撮影情報等がスルー画像に重ねて表示される。
【００８８】
撮影はシャッターボタン２６の押下によって行なわれる。シャッターボタン２６が半押しされると、Ｓ１ＯＮ信号がＣＰＵ１１０に入力され、ＣＰＵ１１０はＡＥ／ＡＦ処理を実施する。
【００８９】
まず、画像入力制御部１３２を介して撮像素子１２４から取り込まれた画像信号がＡＦ検出部１４０並びにＡＥ／ＡＷＢ検出部１４２に入力される。
【００９０】
ＡＦ検出部１４０で求めた積算値のデータはＣＰＵ１１０に通知される。
【００９１】
ＣＰＵ１１０は、レンズ駆動部１４６を制御してレンズ１４を含む撮影光学系のフォーカスレンズ群を移動させながら、複数のＡＦ検出ポイントで焦点評価値（ＡＦ評価値）を演算し、評価値が極大となるレンズ位置を合焦位置として決定する。そして、求めた合焦位置にフォーカスレンズ群が移動するように、レンズ駆動部１４６を制御する。
【００９２】
ＣＰＵ１１０は、ＡＥ／ＡＷＢ検出部１４２から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従い撮像素子１２４の電子シャッターと絞り駆動部１４４を制御して適正な露光量を得る。同時に、検出された被写体輝度より、ストロボの発光が必要かどうかを判断する。
【００９３】
また、ＡＥ／ＡＷＢ検出部１４２は、自動ホワイトバランス調整時、分割エリアごとにＲ、Ｇ、Ｂ信号の色別の平均積算値を算出し、その算出結果をＣＰＵ１１０に提供する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００９４】
以上のように、シャッターボタン２６の半押しによって、ＡＥ／ＡＦ処理が行なわれる。なお、撮影者は、必要に応じてズームボタン３８を操作し、レンズ１４をズーミングさせて画角を調整する。
【００９５】
この後、シャッターボタン２６が全押しされると、ＣＰＵ１１０にＳ２ＯＮ信号が入力され、ＣＰＵ１１０は、撮影、記録処理を開始する。すなわち、測光結果に基づき決定されたシャッター速度、絞り値で撮像素子１２４を露光する。この際、ストロボ１６を発光させる場合は、ストロボ発光制御部１６０を介してストロボ１６を発光させる。ストロボ発光制御部１６０は、ストロボ調光センサ２４での受光量が所定量に達すると、ストロボ１６への通電を遮断し、ストロボ１６の発光を停止させる。
【００９６】
撮像素子１２４から出力された画像信号は、アナログ処理部１２８、Ａ／Ｄ変換器１３０、画像入力制御部１３２を介してメモリ１２０に取り込まれ、画像信号処理部１３４において輝度／色差信号に変換されたのち、メモリ１２０に格納される。
【００９７】
メモリ１２０に格納された画像データは、圧縮伸張処理部１４８に加えられ、所定の圧縮フォーマット（たとえばＪＰＥＧ形式）に従って圧縮された後、メモリ１２０に格納され、所定の画像記録フォーマット（たとえばＥｘｉｆ形式）の画像ファイルとされたのち、メディア制御部１５０を介して記憶メディア１５２に記録される。
【００９８】
以上のようにして記憶メディア１５２に記録された画像は、電源／モードスイッチ２８を再生位置に合わせて、デジタルカメラ１０のモードを再生モードに設定することにより、モニタ３２で再生表示させることができる。
【００９９】
電源／モードスイッチ２８を再生位置に合わせて、デジタルカメラ１０のモードを再生モードに設定すると、ＣＰＵ１１０は、メディア制御部１５０にコマンドを出力し、記憶メディア１５２に最後に記録された画像ファイルを読み出させる。
【０１００】
読み出された画像ファイルの圧縮画像データは、圧縮伸張処理部１４８に加えられ、非圧縮の輝度／色差信号に伸張されたのち、ビデオエンコーダ１３６を介してモニタ３２に出力される。これにより、記憶メディア１５２に記録されている画像がモニタ３２に再生表示される。なお、再生時も必要に応じて再生する画像の輝度／色差信号が、アニメーション画像合成部１３８に加えられ、所定の文字や図形等と合成されたのち、ビデオエンコーダ１３６に加えられる。これにより、撮影済み画像に重ねられて所定の撮影情報等がモニタ３２に表示される。
【０１０１】
画像のコマ送りは、十字ボタン４０の左右のキー操作によって行なわれ、十字ボタン４０の右キーが押されると、次の画像ファイルが記憶メディア１５２から読み出され、モニタ３２に再生表示される。また、十字ボタン４０の左キーが押されると、一つ前の画像ファイルが記憶メディア１５２から読み出され、モニタ３２に再生表示される。
【０１０２】
さて、本実施の形態のデジタルカメラ１０では、ユーザーに合焦状態を示すため、合焦動作の状況を判断し、その状況に応じたアニメーション画像を表示する。以下、このアニメーション画像の表示の手順について説明する。
【０１０３】
＜合焦表示の第１の実施の形態＞
図４は、上記デジタルカメラ１０の合焦表示の処理の流れを示すフローチャートである。以下の処理は、主としてＣＰＵ１１０によって行われる。
【０１０４】
モニタ３２にスルー画が表示されている撮影スタンバイ状態において、顔検出部１５４により、入力された被写体像に顔が含まれるかどうか、顔が含まれる場合には、顔領域の抽出と、顔位置の検出が行われる（ステップＳ１１０）。
【０１０５】
シャッターボタン２６の半押し（Ｓ１ＯＮ）が検出されたかどうかが判断される（ステップＳ１１２）。Ｓ１ＯＮが検出されなかった場合（ステップＳ１１２でＮＯ）には、再度ステップＳ１１２が行われる。
【０１０６】
Ｓ１ＯＮが検出された場合（ステップＳ１１２でＹＥＳ）には、ステップＳ１１０において被写体像から顔が検出されたかどうかが判断される（ステップＳ１１４）。顔が検出された場合（ステップＳ１１４でＹＥＳ）には、Ｓ２ＯＮが検出されたかどうかが判断される（ステップＳ１１６）。
【０１０７】
顔が検出されなかった場合（ステップＳ１１４でＮＯ）には、Ｓ２ＯＮが検出されたかどうかが判断される（ステップＳ１１８）。Ｓ２ＯＮが検出されなかった場合（ステップＳ１１８でＮＯ）には、再度顔検出処理（ステップＳ１１４）が行われ、Ｓ２ＯＮが検出された場合（ステップＳ１１８でＹＥＳ）には、撮影が行われる（ステップＳ１３８）。
【０１０８】
Ｓ２ＯＮが検出された場合（ステップＳ１１６でＹＥＳ）は、ＡＦが正確に行えないため、フォーカスレンズ群を所定の位置へ移動させ（ステップＳ１４０）、撮影が行われる（ステップＳ１３８）。
【０１０９】
Ｓ２ＯＮが検出されなかった場合（ステップＳ１１６でＮＯ）には、図５（ａ）に示すように、異なる大きさの２個の円形の枠が、その中心点が一致するように異なる色でスルー画上の任意の位置（例えば中央）に表示される（ステップＳ１２０）。この時、外側の円形の枠は、ステップＳ１１４で検出された顔の領域より大きい大きさの枠である。２個の円形の枠の大きさが等しい場合には、２個の円形の枠が重ねられることにより１個の円が形成されるように、円形の枠は、それぞれ複数の円弧で構成される。
【０１１０】
レンズ駆動部１４６を制御してフォーカスレンズ群を移動させながら、複数のＡＦ検出ポイントで焦点評価値を演算し、評価値が極大となるレンズ位置を合焦位置として決定する（ステップＳ１２２）。そして、求めた合焦位置にフォーカスレンズ群が移動するように、レンズ駆動部１４６を制御して、フォーカスレンズ群の移動を開始する。
【０１１１】
ステップＳ１１４において検出された顔に焦点があったかどうかが判断される（ステップＳ１２４）。顔に焦点があっていないと判断された場合（ステップＳ１２４でＮＯ）には、求めた合焦位置にフォーカスレンズ群が移動させると同時に、アニメーション画像作成部１５６において、内側の円形の枠と外側の円形の枠とがそれぞれ異なる方向に回転するアニメーション画像が作成され、スルー画に重ねて表示される（ステップＳ１２６）。すなわち、アニメーション画像作成部１５６は、外側の円形の枠が所望の速さで時計回りに回転され、内側の円形の枠が所望の速さで反時計回りに回転されると同時に、合焦時に２個の円弧の大きさが一致するように、合焦状態に応じて外側の円形の枠の大きさが小さくなり、内側の円形の枠の大きさが大きくなるようなアニメーション画像を作成する。このように、円形の枠を異なる方向に回転するアニメーション画像を作成することで、円形の枠が回転していることが視認しやすくなる。ＣＰＵ１１０は、作成されたアニメーション画像をステップＳ１２０で表示された任意の位置から、ステップＳ１１４で検出された顔に移動させるように、スルー画に合成して表示する。そして、再度ステップＳ１２４が行われる。
【０１１２】
所望の領域に焦点があっている場合、すなわちフォーカスレンズ群の移動が終了した場合（ステップＳ１２４でＹＥＳ）には、図５（ｂ）に示すように、２個の円形の枠が等しい大きさで、かつ２個の円形の枠が重ねられることにより形成された円が、ステップ１１４で検出された顔に重ねて表示される（ステップＳ１２８）。そして、２個の円形の枠が明度をあげて鮮明に表示される（ステップＳ１３０）。
【０１１３】
音声出力がＯＮになっているかが判断される（ステップＳ１３２）。音声出力がＯＮになっている場合（ステップＳ１３２でＹＥＳ）には、スピーカー３６を介して合焦が終了したことを示す音声、メロディ、合図音などの音が出力され（ステップＳ１３４）、Ｓ２ＯＮが検出されたかどうかが判断される（ステップＳ１３６）。音声出力がＯＮになっていない場合（ステップＳ１３２でＮＯ）には、Ｓ２ＯＮが検出されたかどうかが判断される（ステップＳ１３６）。
【０１１４】
Ｓ２ＯＮが検出されなかった場合（ステップＳ１３６でＮＯ）には、大きさの異なる２個の円形の枠を表示するステップ（ステップＳ２１２０）へ戻る。Ｓ２ＯＮが検出された場合（ステップＳ１３６でＹＥＳ）には、撮影が行われる（ステップＳ１３８）。
【０１１５】
本実施の形態によれば、非合焦時には複数の回転する枠を表示し、合焦時には枠が１つの円となって静止することにより、合焦状態及び合焦が行われたことをユーザーにわかり易く知らせることができる。また、ＡＦが正確に行われなかった場合には枠を表示しないことにより、ＡＦ動作を行うようにユーザーを誘導することができる。また、顔が検出された場合には、検出された顔に重ねて枠を表示することにより、焦点があっている領域がどこであるかをユーザーに分かりやすく示すことができる。また、表示と共に音声などを出力することにより、焦点が合ったことをユーザーにより分かりやすく示すことができる。
【０１１６】
なお、本実施の形態では、円形の枠を表示させたが、円形に限らず、三角形、矩形、楕円形などの幾何学的な形状や、ハート型などの不定形の形状を含む様々な形状の枠を用いることができる。三角形、矩形、楕円形、ハート型などの回転により形状が変わる場合には、円形の場合に比べて静止したことがより分かりやすいという利点がある。
【０１１７】
また、本実施の形態では、２個の円形の枠を異なる色で表示したが、合焦時には２個の円形の枠を２色の中間の色で表示してもよい。例えば、外側の枠を青で表示し、内側の枠を黄色で表示した場合には、合焦時に２個の枠によって形成された円は黄緑色となる。このように、複数の枠の色を変えて表示することにより、より視認性を良くすることができる。また、回転時と静止時で色を変化させることにより、枠が静止したことがより分かりやくいという利点もある。もちろん、２個の枠を同じ色で表示してもかまわない。
【０１１８】
また、本実施の形態では、合焦と同時時に枠を鮮明に表示させることで視認性を向上させたが、合焦したことをユーザーに容易に伝えることができる表示であればこれに限らない。例えば、合焦と同時に枠の色を濃くしてもよいし、枠の線を太くしてもよい。
【０１１９】
また、本実施の形態では、枠を所定の回転速度で回転させたが、合焦状態に応じて回転速度を変えてもよい。合焦位置の算出から合焦までに要するおよその時間から回転速度を算出し、算出された回転速度で回転させてもよいし、合焦位置からフォーカスレンズ群の移動に要する時間を算出し、所定の領域に焦点があっている場合と同時に回転が終わるような回転速度を算出し、算出された回転速度で回転させてもよい。
【０１２０】
また、本実施の形態では、合焦が行われたことをよりはっきりとユーザーに知らせるために、複数の枠を異なる方向に回転させたが、同じ方向に回転させるようにしてもよい。この場合には、計算量を減らし、処理を軽くすることができる。
【０１２１】
＜合焦表示の第２の実施の形態＞
合焦表示の第２の実施の形態は、矩形の枠が振動するアニメーション表示を行うものである。図６は、上記デジタルカメラ１０の合焦表示の処理の流れを示すフローチャートである。以下の処理は、主としてＣＰＵ１１０によって行われる。なお、第１の実施の形態と同一の部分については、同一の符号を付し、詳細な説明を省略する。
【０１２２】
Ｓ１ＯＮが検出されたかどうかが判断される（ステップＳ１１２）。Ｓ１ＯＮが検出されなかった場合（ステップＳ１１２でＮＯ）には、再度ステップＳ１１２が行われる。
【０１２３】
Ｓ１ＯＮが検出された場合（ステップＳ１１２でＹＥＳ）には、ステップＳ１１０において被写体像から顔が検出されたかどうかが判断される（ステップＳ１１４）。顔が検出された場合（ステップＳ１１４でＹＥＳ）には、Ｓ２ＯＮが検出されたかどうかが判断される（ステップＳ１１６）。
【０１２４】
顔が検出されなかった場合（ステップＳ１１４でＮＯ）には、Ｓ２ＯＮが検出されたかどうかが判断される（ステップＳ１１８）。Ｓ２ＯＮが検出されなかった場合（ステップＳ１１８でＮＯ）には、再度顔検出処理（ステップＳ１１４）が行われ、Ｓ２ＯＮが検出された場合（ステップＳ１１８でＹＥＳ）には、撮影が行われる（ステップＳ１３８）。
【０１２５】
Ｓ２ＯＮが検出された場合（ステップＳ１１６でＹＥＳ）は、ＡＦが正確に行えないため、フォーカスレンズ群を所定の位置へ移動させ（ステップＳ１４０）、撮影が行われる（ステップＳ１３８）。
【０１２６】
Ｓ２ＯＮが検出されなかった場合（ステップＳ１１６でＮＯ）には、図７（ａ）に示すように、略正方形の枠がスルー画上の任意の位置（例えば中央）に表示される（ステップＳ２２０）。以下、略正方形の枠が１つの場合を例に説明するが、図７（ａ）に示すように、メインの枠（太線の枠）に連動して動く従属的な枠（細い線の枠）が１つ又は複数表示されていてもかまわない。また、検出された顔に、目、口などの特徴点を示す目印を表示させてもよい。
【０１２７】
レンズ駆動部１４６を制御してフォーカスレンズ群を移動させながら、複数のＡＦ検出ポイントで焦点評価値を演算し、評価値が極大となるレンズ位置を合焦位置として決定する（ステップＳ１２２）。そして、求めた合焦位置にフォーカスレンズ群が移動するように、レンズ駆動部１４６を制御して、フォーカスレンズ群の移動を開始する。
【０１２８】
ステップＳ１１４において検出された顔に焦点があったかどうかが判断される（ステップＳ１２４）。顔に焦点があっていないと判断された場合（ステップＳ１２４でＮＯ）には、求めた合焦位置にフォーカスレンズ群が移動させると同時に、アニメーション画像作成部１５６において、略正方形の枠が絶えず動いている、つまり枠が振動しているようなアニメーション画像が作成され、スルー画に重ねて表示される（ステップＳ２２６）。すなわち、アニメーション画像作成部１５６は、略正方形の枠が所定の速さで、かつある領域を中心として合焦状態に応じた距離だけランダムな方向に移動し続けるアニメーション画像を作成する。ＣＰＵ１１０は、作成されたアニメーション画像を、移動の中心となる領域と、ステップＳ１１４で検出された顔とが重なるようにスルー画に合成して表示する。そして、再度ステップＳ１２４が行われる。
【０１２９】
所望の領域に焦点があっている場合、すなわちフォーカスレンズ群の移動が終了した場合（ステップＳ１２４でＹＥＳ）には、図７（ｂ）に示すように、略正方形の枠がステップ１１４で検出された顔に重ねて表示される（ステップＳ２２８）。そして、略正方形の枠が明度をあげて鮮明に表示される（ステップＳ２３０）。
【０１３０】
音声出力がＯＮになっているかが判断される（ステップＳ１３２）。音声出力がＯＮになっている場合（ステップＳ１３２でＹＥＳ）には、スピーカー３６を介して合焦が終了したことを示す音声、メロディ、合図音などの音が出力され（ステップＳ１３４）、Ｓ２ＯＮが検出されたかどうかが判断される（ステップＳ１３６）。音声出力がＯＮになっていない場合（ステップＳ１３２でＮＯ）には、Ｓ２ＯＮが検出されたかどうかが判断される（ステップＳ１３６）。
【０１３１】
Ｓ２ＯＮが検出されなかった場合（ステップＳ１３６でＮＯ）には、略正方形の枠を表示するステップ（ステップＳ２２０）へ戻る。Ｓ２ＯＮが検出された場合（ステップＳ１３６でＹＥＳ）には、撮影が行われる（ステップＳ１３８）。
【０１３２】
本実施の形態によれば、動いている枠が停止することにより、合焦が行われたことをユーザーにわかり易く知らせることができる。また、ＡＦが正確に行われなかった場合には枠を表示しないことにより、ＡＦ動作を行うようにユーザーを誘導することができる。また、顔が検出された場合には、検出された顔の位置で枠の動きを止めることにより、焦点があっている領域がどこであるかをユーザーに分かりやすく示すことができる。また、表示と共に音声などを出力することにより、焦点が合ったことをユーザーにより分かりやすく示すことができる。
【０１３３】
なお、本実施の形態では、略正方形の枠を表示させたが、に限らず、三角形、長方形、多角形、円形、楕円形などの幾何学的な形状や、ハート型などの不定形の形状を含む様々な形状の枠を用いることができる。
【０１３４】
また、本実施の形態では、合焦と同時時に枠を鮮明に表示させることで視認性を向上させたが、合焦したことをユーザーに容易に伝えることができる表示であればこれに限らない。例えば、合焦と同時に枠の色を濃くしてもよいし、枠の線を太くしてもよい。
【０１３５】
また、本実施の形態では、枠を所定の速度で移動させたが、移動距離に応じて移動速度を変えるようにしてもよい。
【０１３６】
＜合焦表示の第３の実施の形態＞
合焦表示の第３の実施の形態は、合焦状態に応じて動物（例えば、うさぎ）の耳が動くアニメーション表示を行うものである。図８は、上記デジタルカメラ１０の合焦表示の処理の流れを示すフローチャートである。以下の処理は、主としてＣＰＵ１１０によって行われる。なお、第１の実施の形態と同一の部分については、同一の符号を付し、詳細な説明を省略する。
【０１３７】
Ｓ１ＯＮが検出されたかどうかが判断される（ステップＳ１１２）。Ｓ１ＯＮが検出されなかった場合（ステップＳ１１２でＮＯ）には、再度ステップＳ１１２が行われる。
【０１３８】
Ｓ１ＯＮが検出された場合（ステップＳ１１２でＹＥＳ）には、ステップＳ１１０において被写体像から顔が検出されたかどうかが判断される（ステップＳ１１４）。顔が検出された場合（ステップＳ１１４でＹＥＳ）には、Ｓ２ＯＮが検出されたかどうかが判断される（ステップＳ１１６）。
【０１３９】
顔が検出されなかった場合（ステップＳ１１４でＮＯ）には、Ｓ２ＯＮが検出されたかどうかが判断される（ステップＳ１１８）。Ｓ２ＯＮが検出されなかった場合（ステップＳ１１８でＮＯ）には、再度顔検出処理（ステップＳ１１４）が行われ、Ｓ２ＯＮが検出された場合（ステップＳ１１８でＹＥＳ）には、撮影が行われる（ステップＳ１３８）。
【０１４０】
Ｓ２ＯＮが検出された場合（ステップＳ１１６でＹＥＳ）は、ＡＦが正確に行えないため、フォーカスレンズ群を所定の位置へ移動させ（ステップＳ１４０）、撮影が行われる（ステップＳ１３８）。
【０１４１】
Ｓ２ＯＮが検出されなかった場合（ステップＳ１１６でＮＯ）には、図９（ａ）に示すように、折れ曲がった（倒れた）うさぎの耳が、ステップＳ１１４で検出された顔の上部に表示される（ステップＳ３２０）。
【０１４２】
レンズ駆動部１４６を制御してフォーカスレンズ群を移動させながら、複数のＡＦ検出ポイントで焦点評価値を演算し、評価値が極大となるレンズ位置を合焦位置として決定する（ステップＳ１２２）。そして、求めた合焦位置にフォーカスレンズ群が移動するように、レンズ駆動部１４６を制御して、フォーカスレンズ群の移動を開始する。
【０１４３】
ステップＳ１１４において検出された顔に焦点があったかどうかが判断される（ステップＳ１２４）。顔に焦点があっていないと判断された場合（ステップＳ１２４でＮＯ）には、求めた合焦位置にフォーカスレンズ群が移動させると同時に、アニメーション画像作成部１５６において、合焦状態に応じて倒れたうさぎの耳が左右に揺れながら立ち上がって行き、合焦と同時にうさぎの耳が直立するアニメーション画像が作成され、ＣＰＵ１１０において、作成されたアニメーション画像がステップＳ３２０で倒れたうさぎの耳が表示された位置と同じ位置でスルー画に重ねて表示される（ステップＳ３２６）。そして、再度ステップＳ１２４が行われる。
【０１４４】
所望の領域に焦点があっている場合、すなわちフォーカスレンズ群の移動が終了した場合（ステップＳ１２４でＹＥＳ）には、図９（ｂ）に示すように、まっすぐに立ち上がって静止したうさぎの耳が、ステップＳ３２０で倒れたうさぎの耳が表示された位置と同じ位置に表示される（ステップＳ３２８）。そして、立ち上がったうさぎの耳が明度をあげて鮮明に表示される（ステップＳ３３０）。
【０１４５】
音声出力がＯＮになっているかが判断される（ステップＳ１３２）。音声出力がＯＮになっている場合（ステップＳ１３２でＹＥＳ）には、スピーカー３６を介して合焦が終了したことを示す音声、メロディ、合図音などの音が出力され（ステップＳ１３４）、Ｓ２ＯＮが検出されたかどうかが判断される（ステップＳ１３６）。音声出力がＯＮになっていない場合（ステップＳ１３２でＮＯ）には、Ｓ２ＯＮが検出されたかどうかが判断される（ステップＳ１３６）。
【０１４６】
Ｓ２ＯＮが検出されなかった場合（ステップＳ１３６でＮＯ）には、倒れたうさぎの耳を表示するステップ（ステップＳ３２０）へ戻る。Ｓ２ＯＮが検出された場合（ステップＳ１３６でＹＥＳ）には、撮影が行われる（ステップＳ１３８）。
【０１４７】
本実施の形態によれば、うさぎの耳というユーザーの興味を引く表示形態により、合焦動作を行っていることをユーザーに示すことができる。また、うさぎの耳の立ち具合により合焦動作がどの程度進んでいるかが感覚的にわかるため、合焦状態及び合焦が行われたことをユーザーにわかり易く知らせることができる。また、ＡＦが正確に行われなかった場合にはうさぎの耳を表示しないことにより、ＡＦ動作を行うようにユーザーを誘導することができる。また、検出された顔にうさぎの耳が表示されるため、どの位置に焦点を合わせるのか、またどの位置で焦点があっているのかをユーザーにわかり易く知らせることができる。
【０１４８】
なお、本実施の形態では、うさぎの耳を例に説明したが、うさぎの耳に限らず、犬の耳、像の耳、パンダの耳など直立している状態が通常状態であると認識される動物の耳を用いることができる。
【０１４９】
また、本実施の形態では、合焦と同時時にうさぎの耳を鮮明に表示させることで視認性を向上させたが、合焦したことをユーザーに容易に伝えることができる表示であればこれに限らない。例えば、合焦と同時にうさぎの耳全体の色を濃くしてもよいし、輪郭の線を太くしてもよい。
【０１５０】
＜合焦表示の第４の実施の形態＞
合焦表示の第４の実施の形態は、合焦状態に応じて動物（例えば、クマ）のキャラクターなどの絵が徐々に現れるアニメーション表示を行うものである。図１０は、上記デジタルカメラ１０の合焦表示の処理の流れを示すフローチャートである。以下の処理は、主としてＣＰＵ１１０によって行われる。なお、第１の実施の形態と同一の部分については、同一の符号を付し、詳細な説明を省略する。
【０１５１】
Ｓ１ＯＮが検出されたかどうかが判断される（ステップＳ１１２）。Ｓ１ＯＮが検出されなかった場合（ステップＳ１１２でＮＯ）には、再度ステップＳ１１２が行われる。
【０１５２】
Ｓ１ＯＮが検出された場合（ステップＳ１１２でＹＥＳ）には、ステップＳ１１０において被写体像から顔が検出されたかどうかが判断される（ステップＳ１１４）。顔が検出された場合（ステップＳ１１４でＹＥＳ）には、Ｓ２ＯＮが検出されたかどうかが判断される（ステップＳ１１６）。
【０１５３】
顔が検出されなかった場合（ステップＳ１１４でＮＯ）には、Ｓ２ＯＮが検出されたかどうかが判断される（ステップＳ１１８）。Ｓ２ＯＮが検出されなかった場合（ステップＳ１１８でＮＯ）には、再度顔検出処理（ステップＳ１１４）が行われ、Ｓ２ＯＮが検出された場合（ステップＳ１１８でＹＥＳ）には、撮影が行われる（ステップＳ１３８）。
【０１５４】
Ｓ２ＯＮが検出された場合（ステップＳ１１６でＹＥＳ）は、ＡＦが正確に行えないため、フォーカスレンズ群を所定の位置へ移動させ（ステップＳ１４０）、撮影が行われる（ステップＳ１３８）。
【０１５５】
Ｓ２ＯＮが検出されなかった場合（ステップＳ１１６でＮＯ）には、レンズ駆動部１４６を制御してフォーカスレンズ群を移動させながら、複数のＡＦ検出ポイントで焦点評価値を演算し、評価値が極大となるレンズ位置を合焦位置として決定する（ステップＳ１２２）。そして、求めた合焦位置にフォーカスレンズ群が移動するように、レンズ駆動部１４６を制御して、フォーカスレンズ群の移動を開始する。
【０１５６】
ステップＳ１１４において検出された顔に焦点があったかどうかが判断される（ステップＳ１２４）。顔に焦点があっていないと判断された場合（ステップＳ１２４でＮＯ）には、求めた合焦位置にフォーカスレンズ群が移動させると同時に、アニメーション画像作成部１５６において、合焦状態に応じてクマのキャラクターが徐々に現れるアニメーション画像が作成され、スルー画に重ねて表示される（ステップＳ４２６）。すなわち、アニメーション画像作成部１５６は、図１１（ａ）に示すように、合焦動作が進むに従ってクマのキャラクターが顔の近傍、例えば横から少しずつ現れ、図１１（ｂ）に示すように、合焦と同時にクマのキャラクター全体が顔の横に表示されるアニメーション画像を作成する。ＣＰＵ１１０は、ステップＳ１１４で検出された顔の横からクマのキャラクターが現れるように、作成されたアニメーション画像をスルー画に合成して表示する。そして、再度ステップＳ１２４が行われる。
【０１５７】
所望の領域に焦点があっている場合、すなわちフォーカスレンズ群の移動が終了した場合（ステップＳ１２４でＹＥＳ）には、図１１（ｂ）に示すように、クマのキャラクターの全体がステップＳ１１４で検出された顔の横に、かつその一部が顔の前面にかかるように表示される（ステップＳ４２８）。そして、クマのキャラクターが明度をあげて鮮明に表示される（ステップＳ４３０）。
【０１５８】
音声出力がＯＮになっているかが判断される（ステップＳ１３２）。音声出力がＯＮになっている場合（ステップＳ１３２でＹＥＳ）には、スピーカー３６を介して合焦が終了したことを示す音声、メロディ、合図音などの音が出力され（ステップＳ１３４）、Ｓ２ＯＮが検出されたかどうかが判断される（ステップＳ１３６）。音声出力がＯＮになっていない場合（ステップＳ１３２でＮＯ）には、Ｓ２ＯＮが検出されたかどうかが判断される（ステップＳ１３６）。
【０１５９】
Ｓ２ＯＮが検出されなかった場合（ステップＳ１３６でＮＯ）には、焦点評価値を算出するステップ（ステップＳ１２２）へ戻る。Ｓ２ＯＮが検出された場合（ステップＳ１３６でＹＥＳ）には、撮影が行われる（ステップＳ１３８）。
【０１６０】
本実施の形態によれば、クマのキャラクターというユーザーの興味を引く表示形態により、合焦動作を行っていることをユーザーに示すことができる。また、クマのキャラクターがどの程度表示されているかにより合焦状態がどの程度進んでいるかが感覚的にわかるため、合焦状態及び合焦が行われたことをユーザーにわかり易く知らせることができる。また、ＡＦが正確に行われなかった場合にはクマのキャラクターを表示しないことにより、ＡＦ動作を行うようにユーザーを誘導することができる。また、検出された顔の近傍にクマのキャラクターが表示されるため、どの位置で焦点があっているのかをユーザーにわかり易く知らせることができる。
【０１６１】
また、本実施の形態では、合焦と同時時にクマのキャラクターを鮮明に表示させることで視認性を向上させたが、合焦したことをユーザーに容易に伝えることができる表示であればこれに限らない。例えば、合焦と同時にクマのキャラクターの色を濃くしてもよいし、輪郭の線を太くしてもよい。
【０１６２】
＜合焦表示の第５の実施の形態＞
合焦表示の第５の実施の形態は、合焦状態に応じて動物（例えば、鳥）が動くアニメーション表示を行うものである。図１２は、上記デジタルカメラ１０の合焦表示の処理の流れを示すフローチャートである。以下の処理は、主としてＣＰＵ１１０によって行われる。なお、第１の実施の形態と同一の部分については、同一の符号を付し、詳細な説明を省略する。
【０１６３】
Ｓ１ＯＮが検出されたかどうかが判断される（ステップＳ１１２）。Ｓ１ＯＮが検出されなかった場合（ステップＳ１１２でＮＯ）には、再度ステップＳ１１２が行われる。
【０１６４】
Ｓ１ＯＮが検出された場合（ステップＳ１１２でＹＥＳ）には、ステップＳ１１０において被写体像から顔が検出されたかどうかが判断される（ステップＳ１１４）。顔が検出された場合（ステップＳ１１４でＹＥＳ）には、Ｓ２ＯＮが検出されたかどうかが判断される（ステップＳ１１６）。
【０１６５】
顔が検出されなかった場合（ステップＳ１１４でＮＯ）には、Ｓ２ＯＮが検出されたかどうかが判断される（ステップＳ１１８）。Ｓ２ＯＮが検出されなかった場合（ステップＳ１１８でＮＯ）には、再度顔検出処理（ステップＳ１１４）が行われ、Ｓ２ＯＮが検出された場合（ステップＳ１１８でＹＥＳ）には、撮影が行われる（ステップＳ１３８）。
【０１６６】
Ｓ２ＯＮが検出された場合（ステップＳ１１６でＹＥＳ）は、ＡＦが正確に行えないため、フォーカスレンズ群を所定の位置へ移動させ（ステップＳ１４０）、撮影が行われる（ステップＳ１３８）。
【０１６７】
Ｓ２ＯＮが検出されなかった場合（ステップＳ１１６でＮＯ）には、図１３（ａ）に示すように、飛んでいる鳥が所定の場所（例えば、画面左下）に表示される（ステップＳ５２０）。
【０１６８】
レンズ駆動部１４６を制御してフォーカスレンズ群を移動させながら、複数のＡＦ検出ポイントで焦点評価値を演算し、評価値が極大となるレンズ位置を合焦位置として決定する（ステップＳ１２２）。そして、求めた合焦位置にフォーカスレンズ群が移動するように、レンズ駆動部１４６を制御して、フォーカスレンズ群の移動を開始する。
【０１６９】
ステップＳ１１４において検出された顔に焦点があったかどうかが判断される（ステップＳ１２４）。顔に焦点があっていないと判断された場合（ステップＳ１２４でＮＯ）には、求めた合焦位置にフォーカスレンズ群が移動させると同時に、アニメーション画像作成部１５６において、鳥が飛びながら様々な位置に移動するアニメーション画像が作成され、ＣＰＵ１１０において、作成されたアニメーション画像がスルー画に重ねて表示される（ステップＳ５２６）。そして、再度ステップＳ１２４が行われる。
【０１７０】
所望の領域に焦点があっている場合、すなわちフォーカスレンズ群の移動が終了した場合（ステップＳ１２４でＹＥＳ）には、図１３（ｂ）に示すように、ステップＳ１１４で検出された顔の上部に鳥が停止される（ステップＳ５２８）。そして、停止した鳥が明度をあげて鮮明に表示される（ステップＳ５３０）。
【０１７１】
音声出力がＯＮになっているかが判断される（ステップＳ１３２）。音声出力がＯＮになっている場合（ステップＳ１３２でＹＥＳ）には、スピーカー３６を介して合焦が終了したことを示す音声、メロディ、合図音などの音が出力され（ステップＳ１３４）、Ｓ２ＯＮが検出されたかどうかが判断される（ステップＳ１３６）。音声出力がＯＮになっていない場合（ステップＳ１３２でＮＯ）には、Ｓ２ＯＮが検出されたかどうかが判断される（ステップＳ１３６）。
【０１７２】
Ｓ２ＯＮが検出されなかった場合（ステップＳ１３６でＮＯ）には、飛んでいる鳥が所定の場所に表示されるステップ（ステップＳ５２０）へ戻る。Ｓ２ＯＮが検出された場合（ステップＳ１３６でＹＥＳ）には、撮影が行われる（ステップＳ１３８）。
【０１７３】
本実施の形態によれば、飛んでいる鳥というユーザーの興味を引く表示形態により、合焦動作を行っていることをユーザーに示すことができる。また、飛んでいる鳥が静止することにより、合焦が行われたことをユーザーにわかり易く知らせることができる。また、ＡＦが正確に行われなかった場合には鳥を表示しないことにより、ＡＦ動作を行うようにユーザーを誘導することができる。また、検出された顔に鳥が静止されるため、どの位置で焦点があっているのかをユーザーにわかり易く知らせることができる。
【０１７４】
なお、本実施の形態では、鳥を例に説明したが、蝶、トンボ、蜂、こうもりなどの飛ぶという動作が自明である生物を用いることができる。蝶のアニメーション画像の場合には、ステップＳ５２６において蝶が様々な位置に飛びながら移動するアニメーション画像を作成し、ステップＳ５２８においてステップＳ１１４で検出された顔の上部に蝶を停止させ、ステップＳ５３０において停止した蝶が明度をあげて鮮明に表示されるようにすればよい。
【０１７５】
また、本実施の形態では、合焦と同時時に静止した鳥を鮮明に表示させることで視認性を向上させたが、合焦したことをユーザーに容易に伝えることができる表示であればこれに限らない。例えば、合焦と同時に鳥の色を濃くしてもよいし、輪郭の線を太くしてもよい。
【０１７６】
＜合焦表示の第６の実施の形態＞
合焦表示の第６の実施の形態は、合焦状態に応じて花が開くアニメーション表示を行うものである。図１４は、上記デジタルカメラ１０の合焦表示の処理の流れを示すフローチャートである。以下の処理は、主としてＣＰＵ１１０によって行われる。なお、第１の実施の形態と同一の部分については、同一の符号を付し、詳細な説明を省略する。
【０１７７】
Ｓ１ＯＮが検出されたかどうかが判断される（ステップＳ１１２）。Ｓ１ＯＮが検出されなかった場合（ステップＳ１１２でＮＯ）には、再度ステップＳ１１２が行われる。
【０１７８】
Ｓ１ＯＮが検出された場合（ステップＳ１１２でＹＥＳ）には、ステップＳ１１０において被写体像から顔が検出されたかどうかが判断される（ステップＳ１１４）。顔が検出された場合（ステップＳ１１４でＹＥＳ）には、Ｓ２ＯＮが検出されたかどうかが判断される（ステップＳ１１６）。
【０１７９】
顔が検出されなかった場合（ステップＳ１１４でＮＯ）には、Ｓ２ＯＮが検出されたかどうかが判断される（ステップＳ１１８）。Ｓ２ＯＮが検出されなかった場合（ステップＳ１１８でＮＯ）には、再度顔検出処理（ステップＳ１１４）が行われ、Ｓ２ＯＮが検出された場合（ステップＳ１１８でＹＥＳ）には、撮影が行われる（ステップＳ１３８）。
【０１８０】
Ｓ２ＯＮが検出された場合（ステップＳ１１６でＹＥＳ）は、ＡＦが正確に行えないため、フォーカスレンズ群を所定の位置へ移動させ（ステップＳ１４０）、撮影が行われる（ステップＳ１３８）。
【０１８１】
Ｓ２ＯＮが検出されなかった場合（ステップＳ１１６でＮＯ）には、図１５（ａ）に示すように、つぼみがステップＳ１１４で検出された顔の上部に表示される（ステップＳ６２０）。
【０１８２】
レンズ駆動部１４６を制御してフォーカスレンズ群を移動させながら、複数のＡＦ検出ポイントで焦点評価値を演算し、評価値が極大となるレンズ位置を合焦位置として決定する（ステップＳ１２２）。そして、求めた合焦位置にフォーカスレンズ群が移動するように、レンズ駆動部１４６を制御して、フォーカスレンズ群の移動を開始する。
【０１８３】
ステップＳ１１４において検出された顔に焦点があったかどうかが判断される（ステップＳ１２４）。顔に焦点があっていないと判断された場合（ステップＳ１２４でＮＯ）には、求めた合焦位置にフォーカスレンズ群が移動させると同時に、アニメーション画像作成部１５６において、合焦状態に応じて花が徐々に開花するアニメーション画像が作成され、ＣＰＵ１１０において、作成されたアニメーション画像がステップＳ６２０でつぼみが表示された位置と同じ位置でスルー画に合成して表示される（ステップＳ６２６）。そして、再度ステップＳ１２４が行われる。
【０１８４】
所望の領域に焦点があっている場合、すなわちフォーカスレンズ群の移動が終了した場合（ステップＳ１２４でＹＥＳ）には、図１５（ｂ）に示すように、満開の花がステップＳ６２０でつぼみが表示された位置と同じ位置に表示される（ステップＳ６２８）。そして、満開の花が明度をあげて鮮明に表示される（ステップＳ６３０）。
【０１８５】
音声出力がＯＮになっているかが判断される（ステップＳ１３２）。音声出力がＯＮになっている場合（ステップＳ１３２でＹＥＳ）には、スピーカー３６を介して合焦が終了したことを示す音声、メロディ、合図音などの音が出力され（ステップＳ１３４）、Ｓ２ＯＮが検出されたかどうかが判断される（ステップＳ１３６）。音声出力がＯＮになっていない場合（ステップＳ１３２でＮＯ）には、Ｓ２ＯＮが検出されたかどうかが判断される（ステップＳ１３６）。
【０１８６】
Ｓ２ＯＮが検出されなかった場合（ステップＳ１３６でＮＯ）には、つぼみを表示するステップ（ステップＳ６２０）へ戻る。Ｓ２ＯＮが検出された場合（ステップＳ１３６でＹＥＳ）には、撮影が行われる（ステップＳ１３８）。
【０１８７】
本実施の形態によれば、花というユーザーの興味を引く表示形態により、合焦動作を行っていることをユーザーに示すことができる。また、花の開き具合により合焦動作がどの程度進んでいるかが感覚的にわかるため、合焦状態及び合焦が行われたことをユーザーにわかり易く知らせることができる。また、ＡＦが正確に行われなかった場合には花を表示しないことにより、ＡＦ動作を行うようにユーザーを誘導することができる。また、検出された顔の近傍に花が表示されるため、どの位置に焦点を合わせるのか、またどの位置で焦点があっているのかをユーザーにわかり易く知らせることができる。
【０１８８】
また、本実施の形態では、合焦と同時時に満開の花を鮮明に表示させることで視認性を向上させたが、合焦したことをユーザーに容易に伝えることができる表示であればこれに限らない。例えば、合焦と同時にうさぎの耳全体の色を濃くしてもよいし、輪郭の線を太くしてもよい。
【０１８９】
＜合焦表示の第７の実施の形態＞
合焦表示の第７の実施の形態は、合焦状態に応じて吹き出しが膨らむアニメーション表示を行うものである。図１６は、上記デジタルカメラ１０の合焦表示の処理の流れを示すフローチャートである。以下の処理は、主としてＣＰＵ１１０によって行われる。なお、第１の実施の形態と同一の部分については、同一の符号を付し、詳細な説明を省略する。
【０１９０】
Ｓ１ＯＮが検出されたかどうかが判断される（ステップＳ１１２）。Ｓ１ＯＮが検出されなかった場合（ステップＳ１１２でＮＯ）には、再度ステップＳ１１２が行われる。
【０１９１】
Ｓ１ＯＮが検出された場合（ステップＳ１１２でＹＥＳ）には、ステップＳ１１０において被写体像から顔が検出されたかどうかが判断される（ステップＳ１１４）。顔が検出された場合（ステップＳ１１４でＹＥＳ）には、Ｓ２ＯＮが検出されたかどうかが判断される（ステップＳ１１６）。
【０１９２】
顔が検出されなかった場合（ステップＳ１１４でＮＯ）には、Ｓ２ＯＮが検出されたかどうかが判断される（ステップＳ１１８）。Ｓ２ＯＮが検出されなかった場合（ステップＳ１１８でＮＯ）には、再度顔検出処理（ステップＳ１１４）が行われ、Ｓ２ＯＮが検出された場合（ステップＳ１１８でＹＥＳ）には、撮影が行われる（ステップＳ１３８）。
【０１９３】
Ｓ２ＯＮが検出された場合（ステップＳ１１６でＹＥＳ）は、ＡＦが正確に行えないため、フォーカスレンズ群を所定の位置へ移動させ（ステップＳ１４０）、撮影が行われる（ステップＳ１３８）。
【０１９４】
Ｓ２ＯＮが検出されなかった場合（ステップＳ１１６でＮＯ）には、レンズ駆動部１４６を制御してフォーカスレンズ群を移動させながら、複数のＡＦ検出ポイントで焦点評価値を演算し、評価値が極大となるレンズ位置を合焦位置として決定する（ステップＳ１２２）。そして、求めた合焦位置にフォーカスレンズ群が移動するように、レンズ駆動部１４６を制御して、フォーカスレンズ群の移動を開始する。
【０１９５】
ステップＳ１１４において検出された顔に焦点があったかどうかが判断される（ステップＳ１２４）。顔に焦点があっていないと判断された場合（ステップＳ１２４でＮＯ）には、求めた合焦位置にフォーカスレンズ群が移動させると同時に、アニメーション画像作成部１５６において、合焦状態に応じて吹き出しが膨らむアニメーション画像が作成され、スルー画に重ねて表示される（ステップＳ７２６）。すなわち、アニメーション画像作成部１５６は、図１７（ａ）に示すように、合焦動作が始まった直後にはきわめて小さい吹き出し（あるいは小さな丸）が表示され、図１７（ｂ）に示すように、合焦動作が進むに従って吹き出しが徐々に大きくなり、図１７（ｃ）に示すように、合焦動作の完了と共に吹き出しの大きさが最大となるようなアニメーション画像を作成する。ＣＰＵ１１０は、作成されたアニメーション画像をステップＳ１１４検出された顔の近傍（例えば、横）に表示する。そして、再度ステップＳ１２４が行われる。なお、吹き出しを表示する場所は顔の近傍に限らず、顔検出部１５４で口を検出し、検出された口から吹き出しが出ているような表示をしてもよい。
【０１９６】
所望の領域に焦点があっている場合、すなわちフォーカスレンズ群の移動が終了した場合（ステップＳ１２４でＹＥＳ）には、図１７（ｃ）に示すように、最大の大きさの吹き出しがステップＳ１１４検出された顔の近傍（ステップＳ７２８）。そして、吹き出しが明度をあげて鮮明に表示される（ステップＳ７３０）。
【０１９７】
音声出力がＯＮになっているかが判断される（ステップＳ１３２）。音声出力がＯＮになっている場合（ステップＳ１３２でＹＥＳ）には、スピーカー３６を介して合焦が終了したことを示す音声、メロディ、合図音などの音が出力され（ステップＳ１３４）、Ｓ２ＯＮが検出されたかどうかが判断される（ステップＳ１３６）。音声出力がＯＮになっていない場合（ステップＳ１３２でＮＯ）には、Ｓ２ＯＮが検出されたかどうかが判断される（ステップＳ１３６）。
【０１９８】
Ｓ２ＯＮが検出されなかった場合（ステップＳ１３６でＮＯ）には、焦点評価値を算出するステップ（ステップＳ１２２）へ戻る。Ｓ２ＯＮが検出された場合（ステップＳ１３６でＹＥＳ）には、撮影が行われる（ステップＳ１３８）。
【０１９９】
本実施の形態によれば、吹き出しの大きさが変わるというユーザーの興味を引く表示形態により、合焦動作を行っていることをユーザーに示すことができる。また、吹き出しの大きさにより合焦動作がどの程度進んでいるかが感覚的にわかるため、合焦状態及び合焦が行われたことをユーザーにわかり易く知らせることができる。また、ＡＦが正確に行われなかった場合には吹き出しを表示しないことにより、ＡＦ動作を行うようにユーザーを誘導することができる。また、検出された顔の近傍に吹き出しが表示されるため、どの位置で焦点があっているのかをユーザーにわかり易く知らせることができる。
【０２００】
なお、本実施の形態では、合焦と同時時に吹き出しを鮮明に表示させることで視認性を向上させたが、合焦したことをユーザーに容易に伝えることができる表示であればこれに限らない。例えば、合焦と同時に吹き出しの輪郭の線を太くしてもよい。
【０２０１】
また、本実施の形態では、吹き出しの中に「！」の文字が表示された吹き出しの形状を変更させるアニメーション画像をスルー画像に合成したが、合焦動作が完了するまでは吹き出しの中に「？」の文字が表示され、合焦動作の完了と共に吹き出しの中に「！」の文字が表示されたアニメーション画像を作成してスルー画像に合成するようにしてもよい。これにより、合焦したことをユーザーにより明確に伝えることができる。
【０２０２】
なお、上記実施の形態では、顔を検出し、検出された顔に焦点を合わせたが、検出対象は顔に限らず、人物全体や、犬、猫、うさぎ等の動物や、車などを検出対象とし、検出されたものに対して焦点を合わせるようにしてもよい。なお、人物全体、動物、車などの検出については、公知の様々な技術を用いることができる。
【０２０３】
なお、本発明の適用は、デジタルカメラに限定されるものではなく、カメラ付き携帯電話機やビデオカメラ等の撮像装置にも同様に適用することができる。
【図面の簡単な説明】
【０２０４】
【図１】本発明が適用されたデジタルカメラの正面斜視図である。
【図２】上記デジタルカメラの背面図である。
【図３】上記デジタルカメラの概略構成を示すブロック図である。
【図４】上記デジタルカメラのアニメーション画像表示の第１の実施の形態の処理の流れを示すフローチャートである。
【図５】上記デジタルカメラの第１の実施の形態のアニメーション画像の一例であり、（ａ）は合焦動作が終了していない場合の表示例であり、（ｂ）は合焦動作が終了した場合の表示例である。
【図６】上記デジタルカメラのアニメーション画像表示の第２の実施の形態の処理の流れを示すフローチャートである。
【図７】上記デジタルカメラの第２の実施の形態のアニメーション画像の一例であり、（ａ）は合焦動作が終了していない場合の表示例であり、（ｂ）は合焦動作が終了した場合の表示例である。
【図８】上記デジタルカメラのアニメーション画像表示の第３の実施の形態の処理の流れを示すフローチャートである。
【図９】上記デジタルカメラの第３の実施の形態のアニメーション画像の一例であり、（ａ）は合焦動作が終了していない場合の表示例であり、（ｂ）は合焦動作が終了した場合の表示例である。
【図１０】上記デジタルカメラのアニメーション画像表示の第４の実施の形態の処理の流れを示すフローチャートである。
【図１１】上記デジタルカメラの第４の実施の形態のアニメーション画像の一例であり、（ａ）は合焦動作が終了していない場合の表示例であり、（ｂ）は合焦動作が終了した場合の表示例である。
【図１２】上記デジタルカメラのアニメーション画像表示の第５の実施の形態の処理の流れを示すフローチャートである。
【図１３】上記デジタルカメラの第５の実施の形態のアニメーション画像の一例であり、（ａ）は合焦動作が終了していない場合の表示例であり、（ｂ）は合焦動作が終了した場合の表示例である。
【図１４】上記デジタルカメラのアニメーション画像表示の第６の実施の形態の処理の流れを示すフローチャートである。
【図１５】上記デジタルカメラの第６の実施の形態のアニメーション画像の一例であり、（ａ）は合焦動作が終了していない場合の表示例であり、（ｂ）は合焦動作が終了した場合の表示例である。
【図１６】上記デジタルカメラのアニメーション画像表示の第７の実施の形態の処理の流れを示すフローチャートである。
【図１７】上記デジタルカメラの第７の実施の形態のアニメーション画像の一例であり、（ａ）、（ｂ）は合焦動作が終了していない場合の表示例であり、（ｃ）は合焦動作が終了した場合の表示例である。
【図１８】従来の表示例である。
【符号の説明】
【０２０５】
１０…デジタルカメラ、１２…カメラボディ、１４…レンズ、１６…ストロボ、１８…ファインダ窓、２０…セルフタイマランプ、２２…ＡＦ補助光ランプ、２４…ストロボ調光センサ、２６…シャッターボタン、２８…電源／モードスイッチ、３０…モードダイヤル、３２…モニタ、３４…ファインダ接眼部、３６…スピーカー、３８…ズームボタン、４０…十字ボタン、４２…ＭＥＮＵ／ＯＫボタン、４４…ＤＩＳＰボタン、４６…ＢＡＣＫボタン、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…撮像素子（ＣＣＤ）、１２６…タイミングジェネレータ（ＴＧ）、１２８…アナログ処理部（ＣＤＳ／ＡＭＰ）、１３０…Ａ／Ｄ変換器、１３２…画像入力制御部、１３４…画像信号処理部、１３６…ビデオエンコーダ、１３８…アニメーション画像合成部、１４０…ＡＦ検出部、１４２…ＡＥ／ＡＷＢ検出部、１４４…絞り駆動部、１４６…レンズ駆動部、１４８…圧縮伸張処理部、１５０…メディア制御部、１５２…記憶メディア、１５４…顔検出部、１５６…アニメーション画像作成部、１６０…ストロボ発光制御部
【図１】
0004852504.tif 000002
【図２】
0004852504.tif 000003
【図３】
0004852504.tif 000004
【図４】
0004852504.tif 000005
【図５】
0004852504.tif 000006
【図６】
0004852504.tif 000007
【図７】
0004852504.tif 000008
【図８】
0004852504.tif 000009
【図９】
0004852504.tif 000010
【図１０】
0004852504.tif 000011
【図１１】
0004852504.tif 000012
【図１２】
0004852504.tif 000013
【図１３】
0004852504.tif 000014
【図１４】
0004852504.tif 000015
【図１５】
0004852504.tif 000016
【図１６】
0004852504.tif 000017
【図１７】
0004852504.tif 000018
【図１８】
0004852504.tif 000019